(57)【要約】  【構成】  ＰＤＡ３０は障害者７０によって携帯され、ＲＦＩＤタグ２０は貴重品６０に装着される。ＰＤＡ３０のＣＰＵ３４は、ＲＦＩＤタグ２０から発信されたタグ識別信号の受信感度が閾値ＴＨ１を上回ったとき、ビデオクリップを開始する。この結果、ＣＣＤカメラ５０が能動化され、障害者７０の前方の被写界のＭＰＥＧデータがＲＡＭ４２に書き込まれる。ＲＦＩＤタグ２０から発信されたタグ識別信号の受信感度が閾値ＴＨ２を下回ると、ＣＰＵ３４は、ビデオクリップを停止し、ビデオ記録を実行する。ＲＡＭ４２に格納されたＭＰＥＧデータは、カードＩ／Ｆ４４によってメモリカード４６に記録される。  【効果】  貴重品を仕舞い込む場面を確実に保存することができ、かつメモリカードの記憶容量の無駄な消費を抑えることができる。【選択図】  図１
2005286493.tif 000002
【特許請求の範囲】
【請求項１】
軽度脳障害者が物品を置く場所をカメラによって管理する物品管理用記録装置において、
前記物品に装着される無線タグから発信されたタグ信号を受信する受信手段、および
前記受信手段の受信感度が良好な期間に前記カメラによって撮影された画像を保存する保存手段を備えることを特徴とする、物品管理用記録装置。
【請求項２】
前記カメラは前記軽度脳障害者によって携帯されかつ前記軽度脳障害者の前方を撮影する、請求項１記載の物品管理用記録装置。
【請求項３】
前記保存手段は、前記カメラによって撮影された動画像データを内部メモリに書き込む書き込み手段、前記内部メモリに格納された動画像データを記録媒体に記録する記録手段、前記受信感度が第１閾値を上回ったとき前記カメラを能動化する第１能動化手段、および前記受信感度が第２閾値を下回ったとき前記カメラに代えて前記記録手段を能動化する第２能動化手段を含む、請求項１または２記載の物品管理用記録装置。
【請求項４】
前記第２閾値は良好な受信感度の最小値であり、前記第１閾値は前記第２閾値よりも高い、請求項３記載の物品管理用記録装置。
【請求項５】
前記書き込み手段は前記動画像データを前記内部メモリに循環的に書き込む、請求項３または４記載の物品管理用記録装置。
【発明の詳細な説明】
【技術分野】
【０００１】
この発明は、物品管理用記録装置に関し、特にたとえば軽度脳障害者の物品、たとえば貴重品の管理に用いられる、物品管理用記録装置に関する。
【背景技術】
【０００２】
アルツハイマー病患者のような軽度脳障害者（以下、「障害者」という）の問題行動の１つとして挙げられるのが、貴重品を仕舞い込んだ場所を本人が忘れてしまい、それを家人が盗んだと誤解して家族間の信頼関係を損なうことである。そこで、障害者にＣＣＤカメラおよびＰＤＡ（Personal Digital Assistance）を装着させ、障害者が日常生活をしている間中ずっと、障害者の視線で撮影された映像を記録することが、非特許文献１で提案されている。
【非特許文献１】安田ほか，「記銘力障害者への想起支援：環境映像と音響の自動記録システムの試み」，高次脳機能研究，第２３巻，第１号
【発明の開示】
【発明が解決しようとする課題】
【０００３】
しかし、現状の映像記録装置の連続記録能力は、障害者の１日の活動を記録するには、記憶容量やバッテリ容量の点で問題があり、また、大量に記録された映像データから貴重品を仕舞い込む場面を探し出すのも多大の労力を要する。
【０００４】
それゆえに、この発明の主たる目的は、記憶容量およびバッテリ容量を抑えることができかつ貴重品を仕舞い込む場面のみを確実に保存できる、物品管理用記録装置を提供することである。
【課題を解決するための手段】
【０００５】
請求項１の発明に従う物品管理用記録装置は、軽度脳障害者が物品を置く場所をカメラによって管理する物品管理用記録装置において、物品に装着される無線タグから発信されたタグ信号を受信する受信手段、および受信手段の受信感度が良好な期間にカメラによって撮影された画像を保存する保存手段を備えることを特徴とする。
【０００６】
軽度脳障害者が物品を置く場所は、カメラによって管理される。ここで、物品には無線タグが装着され、この無線タグから発信されたタグ信号は受信手段によって受信される。保存手段は、受信手段の受信感度が良好な期間にカメラによって撮影された画像を保存する。これによって、保存される画像には軽度脳障害者が物品を仕舞い込む場面が含まれ、かつ保存に必要な容量が抑制される。
【０００７】
請求項２の発明に従う物品管理用記録装置は、請求項１に従属し、カメラは軽度脳障害者によって携帯されかつ軽度脳障害者の前方を撮影する。
【０００８】
請求項３の発明に従う物品管理用記録装置は、請求項１または２に従属し、保存手段は、カメラによって撮影された動画像データを内部メモリに書き込む書き込み手段、内部メモリに格納された動画像データを記録媒体に記録する記録手段、受信感度が第１閾値を上回ったときカメラを能動化する第１能動化手段、および受信感度が第２閾値を下回ったときカメラに代えて記録手段を能動化する第２能動化手段を含む。
【０００９】
これによって、受信感度が第１閾値を上回ってから第２閾値を下回るまでの期間に撮影された動画像データの少なくとも一部が、内部メモリに確保される。記録媒体には、かかる動画像データが記録される。
【００１０】
請求項４の発明に従う物品管理用記録装置は、請求項３に従属し、第２閾値は良好な受信感度の最小値であり、第１閾値は第２閾値よりも高い。これによって、カメラの能動化／不能化にはヒステリシス特性が現れ、切り換え動作が安定する。
【００１１】
請求項５の発明に従う物品管理用記録装置は、請求項３または４に従属し、書き込み手段は動画像データを内部メモリに循環的に書き込む。内部メモリには最新の所定量の動画像データが確保される。
【発明の効果】
【００１２】
この発明によれば、タグ信号の受信感度が良好な期間にカメラによって撮影された画像を保存するようにしたため、保存に必要な記憶容量の無駄な消費を抑えつつ、物品を仕舞い込む場面を確実に保存することができる。また、タグ信号を受信していない間はカメラおよび記録媒体の電源をオフにすることにより、バッテリ容量の消費を抑えることができる。
【００１３】
この発明の上述の目的，その他の目的，特徴および利点は、図面を参照して行う以下の実施例の詳細な説明から一層明らかとなろう。
【発明を実施するための最良の形態】
【００１４】
図１を参照して、この実施例の物品管理用記録装置１０は、ＲＦＩＤタグ２０，ＰＤＡ３０およびＣＣＤカメラ５０によって構成される。この物品管理用記録装置１０の使用状態を示す図２から分かるように、ＲＦＩＤ（Radio Frequency IDentification）タグ２０は貴重品６０に装着され、ＰＤＡ３０およびＣＣＤカメラ５０は貴重品５０の所有者である障害者７０によって所持される。ＣＣＤカメラ５０には魚眼レンズを用い、障害者の胸の付近に着用させ、障害者の前方の映像を全て記録することで、貴重品を仕舞い込む場所を確実に記録する。
【００１５】
ＲＦＩＤタグ２０は無線タグであり、固有の識別情報を記憶するメモリ２２と発信器２４とを備える。発信器２４は、メモリ２２から識別情報を読み出し、読み出された識別情報を含むタグ識別信号を常時発信する。
【００１６】
ＰＤＡ３０は、タグリーダ３２を備える。タグリーダ３２は、ＲＦＩＤタグ２０から発信されたタグ識別信号を受信したとき、このタグ識別信号に含まれる識別情報とタグ識別信号を受信したときの受信感度を示す受信感度情報とをＣＰＵ３４に与える。なお、受信感度は、電波強度やタグ識別信号の受信頻度に基づいて算出することができる。
【００１７】
ＣＰＵ３４は、レジスタ３４ｒおよび時計回路３４ｔを内蔵する。タグリーダ３２から与えられた識別情報は、レジスタ３４ｒに設定された特定識別情報と比較される。そして、両者が一致すれば、この識別情報とともに与えられた受信感度情報が示す感度を閾値ＴＨ１およびＴＨ２と比較する。図３を参照して、閾値ＴＨ２は閾値ＴＨ１よりも低く、閾値ＴＨ２を上回る範囲がタグ識別信号を良好に受信できる範囲である。
【００１８】
受信感度が閾値ＴＨ１を上回ると、障害者７０が貴重品６０を手に持ったとみなし、ビデオクリップを開始する。つまり、カメラＩ／Ｆ３６およびＭＰＥＧ４エンコーダ３８をオンし、メモリ制御回路４０にデータ書き込みを命令する。また、ビデオクリップの開始に応答して、時計回路３４ｔによる時間の測定を開始する。
【００１９】
ＣＣＤカメラ５０は魚眼レンズが装着された全方位カメラであり、障害者の眼鏡または胸のバッジ（いずれも図示せず）などに装着される。これによって、障害者の前方の被写界が撮影される。撮影された被写界の動画像データはカメラＩ／Ｆ３６を介してＭＰＥＧ４エンコーダ３８に与えられ、ＭＰＥＧ４方式で圧縮される。これによって生成されたＭＰＥＧデータは、メモリ制御回路４０の制御によってＲＡＭ４２に書き込まれる。ＲＡＭ４２は１０分程度のＭＰＥＧデータを格納できる容量を有するリングバッファであり、ＭＰＥＧデータはかかるＲＡＭ４２に循環的に書き込まれる。
【００２０】
受信感度が閾値ＴＨ２を下回ると、障害者が貴重品を手から離したとみなし、ビデオクリップを停止する。さらに、時計回路３４ｔによって測定された時間つまりビデオクリップ時間が規定値よりも長ければ、ビデオ記録を実行する。ビデオクリップの停止にあたっては、カメラＩ／Ｆ３６およびＭＰＥＧ４エンコーダ３８をオフし、メモリ制御回路４０にデータ書き込みの停止を命令する。また、ビデオ記録の実行にあたっては、メモリ制御回路４０にデータ読み出しを命令し、カードＩ／Ｆ４４にデータ記録を命令する。
【００２１】
ＲＡＭ４２に蓄積されたＭＰＥＧデータは、メモリ制御回路４０によって読み出され、その後カードＩ／Ｆ４４によってファイル形式でメモリカード４６に記録される。記録されたＭＰＥＧファイルには、記録時刻や頭出し信号（開始位置情報）が割り当てられる。なお、メモリカード４６はＰＤＡ３０から着脱自在である。
【００２２】
上述のように、ビデオクリップを開始する判断基準となる閾値ＴＨ１は、ビデオクリップを停止させる判断基準となる閾値ＴＨ２よりも大きい。したがって、障害者が貴重品の傍を通過したような場合、受信感度は、閾値ＴＨ２を上回ることはあっても、閾値ＴＨ１までも上回ることはない。これによって、不要なビデオクリップ動作を防止することができる。
【００２３】
また、時計回路３４ｔによる測定時間が規定値以下であれば、ビデオクリップによってＲＡＭ４２に格納されたＭＰＥＧデータの記録動作は省略される。これは、障害者が貴重品を手にした時間が貴重品の移動が考えられないほど短い場合、ビデオ記録を行う意味がないからである。これによって、メモリカード４６の記憶容量の無駄な消費が抑えられる。
【００２４】
ＣＰＵ３４は、具体的には図４に示すフロー図に従う処理を実行する。まずステップＳ１で、タグ識別信号が受信されたか否かを判別する。タグリーダ３２から識別情報が与えられるとＹＥＳと判断し、この識別情報がレジスタ３４ｒに設定された特定識別情報と一致するか否かをステップＳ３で判別する。両者が一致しなければステップＳ１に戻るが、両者が一致すれば、識別情報とともに与えられた受信感度情報が示す感度をステップＳ５で閾値ＴＨ１と比較する。
【００２５】
受信感度が閾値ＴＨ１以下であればそのままステップＳ１に戻るが、受信感度が閾値ＴＨ１を上回ればステップＳ７で時計回路３４ｔのリセット＆スタートを行い、ステップＳ９でビデオクリップを開始する。ステップＳ１１では、最新の受信感度情報が示す感度を閾値ＴＨ２と比較する。受信感度が閾値ＴＨ２を下回ると、ステップＳ１３でビデオクリップを停止し、ステップＳ１５で時計回路３４ｔによる測定時間を規定値と比較する。
【００２６】
測定時間が規定値よりも長いときは、ステップＳ１７でビデオ記録を実行し、ステップＳ１９で時計回路３４ｔを停止させてから、ステップＳ１に戻る。これに対して、測定時間が規定値以下であれば、ビデオ記録を行わず、ステップＳ１９で時計回路３４ｔを停止させてからステップＳ１に戻る。
【００２７】
以上の説明から分かるように、ＰＤＡ３０は障害者６０によって携帯され、ＲＦＩＤタグ２０は貴重品６０に装着される。ＰＤＡ３０のＣＰＵ３４は、ＲＦＩＤタグ２０から発信されたタグ識別信号の受信感度が閾値ＴＨ１を上回ったとき、ビデオクリップを開始する (S9)。この結果、ＣＣＤカメラ５０が能動化され、障害者６０の前方の被写界のＭＰＥＧデータがＲＡＭ４２に書き込まれる。
【００２８】
ＲＦＩＤタグ２０から発信されたタグ識別信号の受信感度が閾値ＴＨ２を下回ると、ＣＰＵ３４は、ビデオクリップを停止し(S13)、ビデオ記録を実行する(S17)。ＲＡＭ４２に格納されたＭＰＥＧデータは、カードＩ／Ｆ４４によってメモリカード４６に記録される。
【００２９】
このように、メモリカード４６には、タグ識別信号の受信感度が良好な期間にＣＣＤカメラ５０によって撮影された一部の画像が保存される。受信感度が不良となった時点でＲＡＭ４２へのデータ書き込みが停止されるため、保存される一部の画像には、障害者が貴重品を仕舞い込む場面が含まれることとなる。また、一部の画像であるゆえに、保存に必要な記憶容量の無駄な消費が抑えられる。
【００３０】
なお、この実施例では、ビデオクリップの動作時間に応じてビデオ記録を省略するようにしているが、メモリカード４６の容量の効率化よりも映像の確実な記録を重視するのであれば、ビデオ記録の省略は避けるべきである。
【００３１】
また、この実施例では、ＭＰＥＧデータをＰＤＡ３０に装着されたメモリカード４６に保存するようにしているが、ＭＰＥＧデータは外部に準備されたサーバに保存するようにしてもよい。また、この実施例では、ＣＣＤカメラ５０はＰＤＡ３０と別体であるが、ＣＣＤカメラ５０とＰＤＡ３０とは一体化してもよい。
【００３２】
さらに、この実施例では、ＲＦＩＤタグ２０は貴重品にのみ装着するようにしている。しかし、別のＲＦＩＤタグをＰＤＦ３０に取り付け、障害者の住む家の各部屋にもＲＦＩＤタグを配置することによって、障害者が家の中のどこに居るかを把握できるようにしてもよい。
【００３３】
また、この実施例では、障害者にＣＣＤカメラ５０を取り付けるようにしているが、ＣＣＤカメラを取り付けることが困難な場合には、固定カメラによって障害者の動作（貴重品を手に持つ動作と貴重品を手から離す動作）を検出するようにしてもよい。固定カメラを使用する場合は、映像はむしろ常時記録しておいて、たとえば物を仕舞い込む際の特有の動作を画像認識によって識別子、貴重品を探す段になってそれに関するシーンだけを抜き出して参照することが考えられる。
【図面の簡単な説明】
【００３４】
【図１】この発明の一実施例の構成を示すブロック図である。
【図２】図１実施例の使用状態の一例を示す図解図である。
【図３】図１実施例の動作の一部を示す図解図である。
【図４】図１実施例に適用されるＣＰＵの動作の一部を示すフロー図である。
【符号の説明】
【００３５】
１０  …貴重品管理装置
２０  …ＲＦＩＤタグ
３０  …ＰＤＡ
５０  …貴重品
６０  …軽度脳障害者
【図１】
2005286493.tif 000003
【図２】
2005286493.tif 000004
【図３】
2005286493.tif 000005
【図４】
2005286493.tif 000006